【手続補正書】
【提出日】平成17年12月27日(2005.12.27)
【手続補正１】
【補正対象書類名】明細書
【補正対象項目名】発明の名称
【補正方法】変更
【補正の内容】
【発明の名称】画像形成システム、シート後処理装置、断裁及び給紙制御方法
【手続補正２】
【補正対象書類名】明細書
【補正対象項目名】特許請求の範囲
【補正方法】変更
【補正の内容】
【特許請求の範囲】
【請求項１】  シートに画像形成を行う画像形成装置と、前記画像形成されたシートを断裁する断裁手段を有するシート後処理装置とを備えた画像形成システムにおいて、
シート束の断裁幅を設定する断裁幅設定手段と、
前記断裁幅設定手段により設定された断裁幅が前記断裁手段により断裁が可能な幅である基準断裁幅より大きい場合、分割後の各々の断裁幅が前記基準断裁幅より大きくならないように前記設定された断裁幅を分割し、該分割された断裁幅毎に前記断裁手段によりシート束に断裁動作を行う断裁制御手段と、
前記断裁制御手段による前記断裁幅の分割数に応じて、断裁処理を行うシートと次のシートとの間の給紙間隔を設定する給紙制御手段と、
を有することを特徴とする画像形成システム。
【請求項２】  更に、前記断裁手段による断裁位置へのシート束の移送及び停止を行う移送停止手段と、
前記断裁手段による断裁処理が完了したシート束を排出する排出手段と、
を有し、
前記断裁手段は、シート束に対し前記移送停止手段による移送方向と直交する面での断裁を行うことを特徴とする請求項１記載の画像形成システム。
【請求項３】  シートに画像形成を行う画像形成装置と、前記画像形成されたシートを断裁する断裁手段を有するシート後処理装置とを備えた画像形成システムにおいて、
シート束の断裁幅を設定する断裁幅設定手段と、
前記断裁幅設定手段により設定された断裁幅が前記断裁手段により断裁が可能な幅である基準断裁幅より大きい場合、分割後の各々の断裁幅が前記基準断裁幅より大きくならないように前記設定された断裁幅を分割し、該分割された断裁幅毎に前記断裁手段によりシート束に断裁動作を行う第１の動作モードと、前記断裁幅設定手段により設定された断裁幅が前記基準断裁幅より大きい場合、断裁幅を前記基準断裁幅に設定し、シート束に断裁動作を行う第２の動作モードのうち何れかの動作モードを実行する断裁制御手段と、
前記断裁制御手段により前記第１の動作モードを実行する場合、前記断裁制御手段による前記断裁幅の分割数に応じて、断裁処理を行うシートと次のシートとの間の給紙間隔を設定する給紙制御手段と、
を有することを特徴とする画像形成システム。
【請求項４】  前記断裁制御手段は、前記断裁幅設定手段により設定された断裁幅が前記基準断裁幅より大きくない場合、動作モードとして前記第２の動作モードに切り替える制御を行うことを特徴とする請求項３記載の画像形成システム。
【請求項５】  前記給紙制御手段は、前記断裁制御手段による前記断裁幅の分割数に対応した断裁動作の回数が増加するに従い、断裁処理を行うシート束の最終シートと次のシート束の先頭シートとの間の給紙間隔を長く設定することを特徴とする請求項３記載の画像形成システム。
【請求項６】  更に、前記断裁手段による断裁位置へのシート束の移送及び停止を行う移送停止手段と、
前記断裁手段による断裁処理が完了したシート束を排出する排出手段と、
を有し、
前記断裁手段は、シート束に対し前記移送停止手段による移送方向と直交する面での断裁を行うことを特徴とする請求項３記載の画像形成システム。
【請求項７】  画像形成装置により画像形成されたシートを断裁する断裁手段を有するシート後処理装置において、
設定されたシート束の断裁幅が前記断裁手段により断裁が可能な幅である基準断裁幅より大きい場合、分割後の各々の断裁幅が前記基準断裁幅より大きくならないように前記設定された断裁幅を分割し、該分割された断裁幅毎に前記断裁手段によりシート束に断裁動作を行う断裁制御手段を有することを特徴とするシート後処理装置。
【請求項８】  画像形成装置により画像形成されたシートを断裁する断裁手段を有するシート後処理装置において、
設定されたシート束の断裁幅が前記断裁手段により断裁が可能な幅である基準断裁幅より大きい場合、分割後の各々の断裁幅が前記基準断裁幅より大きくならないように前記設定された断裁幅を分割し、該分割された断裁幅毎に前記断裁手段によりシート束に断裁動作を行う第１の動作モードと、前記断裁幅設定手段により設定された断裁幅が前記基準断裁幅より大きい場合、断裁幅を前記基準断裁幅に設定しシート束に断裁動作を行う第２の動作モードのうち何れかの動作モードを実行する断裁制御手段を有することを特徴とするシート後処理装置。
【請求項９】  シートに画像形成を行う画像形成装置と、前記画像形成されたシートを断裁する断裁手段を有するシート後処理装置とを備えた画像形成システムにおける断裁及び給紙制御方法において、
シート束の断裁幅を設定する断裁幅設定工程と、
前記断裁幅設定工程により設定された断裁幅が前記断裁手段により断裁が可能な幅である基準断裁幅より大きい場合、分割後の各々の断裁幅が前記基準断裁幅より大きくならないように前記設定された断裁幅を分割し、該分割された断裁幅毎に前記断裁手段によりシート束に断裁動作を行う断裁制御工程と、
前記断裁制御工程による前記断裁幅の分割数に応じて、断裁処理を行うシートと次のシートの間の給紙間隔を設定する給紙制御工程と、
を有することを特徴とする断裁及び給紙制御方法。
【請求項１０】  シートに画像形成を行う画像形成装置と、前記画像形成されたシートを断裁する断裁手段を有するシート後処理装置とを備えた画像形成システムにおける断裁及び給紙制御方法において、
シート束の断裁幅を設定する断裁幅設定工程と、
前記断裁幅設定工程により設定された断裁幅が前記断裁工程により断裁が可能な幅である基準断裁幅より大きい場合、分割後の各々の断裁幅が前記基準断裁幅より大きくならないように前記設定された断裁幅を分割し、該分割された断裁幅毎に前記断裁工程によりシート束に断裁動作を行う第１の動作モードと、前記断裁幅設定工程により設定された断裁幅が前記基準断裁幅より大きい場合、断裁幅を前記基準断裁幅に設定しシート束に断裁動作を行う第２の動作モードのうち何れかの動作モードを実行する断裁制御工程と、
前記断裁制御工程により前記第１の動作モードを実行する場合、前記断裁制御工程による前記断裁幅の分割数に応じて、断裁処理を行うシートと次のシートとの間の給紙間隔を設定する給紙制御工程と、
を有することを特徴とする断裁及び給紙制御方法。
【手続補正３】
【補正対象書類名】明細書
【補正対象項目名】０００１
【補正方法】変更
【補正の内容】
【０００１】
【発明の属する技術分野】
本発明は、シートに画像形成を行う画像形成装置と、画像形成装置で画像形成されたシートに後処理を行うシート後処理装置とを備えた画像形成システム、シート後処理装置、断裁及び給紙制御方法に関する。
【手続補正４】
【補正対象書類名】明細書
【補正対象項目名】００１２
【補正方法】変更
【補正の内容】
【００１２】
本発明は、上述した点に鑑みなされたものであり、断裁動作を複数回に分割してシート束を処理する場合においても、安定したシート束の搬送と自由度の高い断裁制御を可能とした画像形成システム、シート後処理装置、断裁及び給紙制御方法を提供することを目的とする。
【手続補正５】
【補正対象書類名】明細書
【補正対象項目名】００１３
【補正方法】変更
【補正の内容】
【００１３】
【課題を解決するための手段】
上記目的を達成するため、本発明は、シートに画像形成を行う画像形成装置と、前記画像形成されたシートを断裁する断裁手段を有するシート後処理装置とを備えた画像形成システムにおいて、シート束の断裁幅を設定する断裁幅設定手段と、前記断裁幅設定手段により設定された断裁幅が前記断裁手段により断裁が可能な幅である基準断裁幅より大きい場合、分割後の各々の断裁幅が前記基準断裁幅より大きくならないように前記設定された断裁幅を分割し、該分割された断裁幅毎に前記断裁手段によりシート束に断裁動作を行う断裁制御手段と、前記断裁制御手段による前記断裁幅の分割数に応じて、断裁処理を行うシートと次のシートとの間の給紙間隔を設定する給紙制御手段と、を有することを特徴とする。
【手続補正６】
【補正対象書類名】明細書
【補正対象項目名】０１２５
【補正方法】削除
【補正の内容】
【手続補正７】
【補正対象書類名】明細書
【補正対象項目名】０１２６
【補正方法】削除
【補正の内容】
【手続補正８】
【補正対象書類名】明細書
【補正対象項目名】０１２７
【補正方法】削除
【補正の内容】
【手続補正９】
【補正対象書類名】明細書
【補正対象項目名】０１２８
【補正方法】削除
【補正の内容】
【手続補正１０】
【補正対象書類名】明細書
【補正対象項目名】０１２９
【補正方法】削除
【補正の内容】
【手続補正１１】
【補正対象書類名】明細書
【補正対象項目名】０１３０
【補正方法】削除
【補正の内容】
【手続補正１２】
【補正対象書類名】明細書
【補正対象項目名】０１３１
【補正方法】削除
【補正の内容】
【手続補正１３】
【補正対象書類名】明細書
【補正対象項目名】０１３２
【補正方法】削除
【補正の内容】
【手続補正１４】
【補正対象書類名】明細書
【補正対象項目名】０１３３
【補正方法】削除
【補正の内容】
【手続補正１５】
【補正対象書類名】明細書
【補正対象項目名】０１３４
【補正方法】削除
【補正の内容】
【手続補正１６】
【補正対象書類名】明細書
【補正対象項目名】０１３５
【補正方法】削除
【補正の内容】
【手続補正１７】
【補正対象書類名】明細書
【補正対象項目名】０１３６
【補正方法】削除
【補正の内容】
【手続補正１８】
【補正対象書類名】明細書
【補正対象項目名】０１３７
【補正方法】削除
【補正の内容】
【手続補正１９】
【補正対象書類名】明細書
【補正対象項目名】０１３８
【補正方法】削除
【補正の内容】
【手続補正２０】
【補正対象書類名】明細書
【補正対象項目名】０１３９
【補正方法】削除
【補正の内容】
【手続補正２１】
【補正対象書類名】明細書
【補正対象項目名】０１４０
【補正方法】削除
【補正の内容】
【手続補正２２】
【補正対象書類名】明細書
【補正対象項目名】０１４１
【補正方法】削除
【補正の内容】